(57)【要約】【課題】ＲＣＳがより小さく、高さがより低いこと。【解決手段】扉１と、扉１を当該艦船用格納庫の内側に配置される扉収納スペース２０に収納する扉収納装置とを具備している。扉１は、第１パネル２−１と、第１パネル２−１と折り畳み可能に連結される第２パネル２−２とを備えている。第１パネル２−１は、第１表面と第１表面の裏の第１裏面とを有している。第２パネル２−２は、第２表面と第２表面の裏の第２裏面とを有している。扉１は、第１表面と第２表面とが同一平面１０を形成して当該艦船用格納庫の出入り口を閉鎖する。同一平面１０は、鉛直方向に非平行である。扉収納装置は、第１裏面と第２裏面とが対向して折り畳まれている扉１を扉収納スペース２０に当該艦船用格納庫の側壁に概ね平行になるように収納して出入り口を開放する。このような艦船用格納庫は、ＲＣＳが小さく、扉１がシャッターにより形成されているときより、出入り口の上端から当該艦船用格納庫の屋根までの長さが短い。【選択図】図１
2004027681.tif 000002
【特許請求の範囲】
【請求項１】
扉と、
前記扉を当該艦船用格納庫の内側に配置される扉収納スペースに収納する扉収納装置とを具備し、
前記扉は、
第１パネルと、
前記第１パネルと折り畳み可能に連結される第２パネルとを備え、
前記第１パネルは、第１表面と前記第１表面の裏の第１裏面とを有し、
前記第２パネルは、第２表面と前記第２表面の裏の第２裏面とを有し、
前記扉は、前記第１表面と前記第２表面とが同一平面を形成して当該艦船用格納庫の出入り口を閉鎖し、
前記同一平面は、鉛直方向に非平行であり、
前記扉収納装置は、前記第１裏面と前記第２裏面とが対向して折り畳まれている前記扉を前記扉収納スペースに当該艦船用格納庫の側壁に概ね平行になるように収納して前記出入り口を開放する
艦船用格納庫。
【請求項２】
請求項１において、
前記扉収納装置は、
前記第２パネルと折り畳み可能に連結されるガイドパネルと、
前記ガイドパネルを前記扉とともに前記扉収納スペースに水平方向に平行移動させるガイドレールとを備える
艦船用格納庫。
【請求項３】
請求項２において、
前記扉は、前記出入り口の上端を閉鎖し、または、開放する天井小扉を更に備える
艦船用格納庫。
【請求項４】
請求項３において、
前記扉収納装置は、
前記第１パネルと前記第２パネルとを折り畳む第１トルクアクチュエータと、
前記第１パネルと前記ガイドパネルとを折り畳む第２トルクアクチュエータとを更に備える
艦船用格納庫。
【請求項５】
請求項４において、
前記扉収納装置は、
前記扉収納スペースを閉鎖する収納用小扉を更に備える
艦船用格納庫。
【請求項６】
請求項１〜請求項５のいずれかに記載の艦船用格納庫
を具備する艦船。
【発明の詳細な説明】
【０００１】
【発明の属する技術分野】
本発明は、艦船用格納庫に関し、特に、艦船に設置される艦船用格納庫に関する。
【０００２】
【従来の技術】
艦船に設置されるヘリコプターの格納庫は、ヘリコプターを格納することができる程度に出入り口が大きく開口されている。さらに、艦船は、甲板を広く利用することが望まれ、その出入り口を開閉する艦船用格納庫扉は、開放されているときに、艦船の甲板に突出しないことが望まれている。
【０００３】
図６は、公知の艦船用格納庫を示している。その艦船用格納庫１００は、シャッター１０１と、シャフト１０２と、シャッター巻き上げ機１０４とを備えている。シャッター巻き上げ機１０４は、ベルト１０３を介して、シャフト１０２を回転させる。シャフト１０２は、回転することにより、シャッター１０１を巻き上げて出入り口を開放し、または、シャッター１０１を下ろして出入り口を閉鎖する。艦船用格納庫１００は、艦船に設置されているレーダまたは艦橋の視界を遮蔽しないように、高さが低いことが好ましく、開口部の上端から屋根までの長さ１０６が小さいことが望まれている。
【０００４】
シャッター１０１は、出入り口を閉鎖しているときに概ね平面を形成し、その平面の法線は、鉛直方向成分を有し、やや上向きに傾いている。このようなシャッター１０１は、照射される電波を壁面が照射源の方向に反射する確率を示す電波反射面積（Ｒａｄａｒ　Ｃｒｏｓｓ　Ｓｅｃｔｉｏｎ。本明細書中では、以下に「ＲＣＳ」と略記される）を低減し、艦船が他の艦船のレーダにより捕捉され難くしている。
【０００５】
図７は、シャッター１０１を構成する複数のスラットを詳細に示している。その複数のスラット１１１は、それぞれ水平方向に延び、隣り合う他のスラット１１１と回転可能に連結されている。スラット１１１は、出入り口の左右両側に配置されているガイドレールに沿って、平行移動し、出入り口を開閉する。このようなシャッター１０１は、外側に向いている表面が凹凸しており、その分ＲＣＳが大きい。艦船用格納庫は、レーダにより捕捉され難いように、ＲＣＳがさらに小さいことが望まれている。
【０００６】
【発明が解決しようとする課題】
本発明の課題は、ＲＣＳがより小さい艦船用格納庫を提供することにある。
本発明の他の課題は、ＲＣＳがより小さく、高さがより低い艦船用格納庫を提供することにある。
【０００７】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００８】
本発明による艦船用格納庫は、扉（１）と、扉（１）を当該艦船用格納庫の内側に配置される扉収納スペース（２０）に収納する扉収納装置とを具備している。扉（１）は、第１パネル（２−１）と、第１パネル（２−１）と折り畳み可能に連結される第２パネル（２−２）とを備えている。第１パネル（２−１）は、第１表面と第１表面の裏の第１裏面とを有している。第２パネル（２−２）は、第２表面と第２表面の裏の第２裏面とを有している。扉（１）は、第１表面と第２表面とが同一平面（１０）を形成して当該艦船用格納庫の出入り口を閉鎖する。同一平面（１０）は、鉛直方向に非平行である。扉収納装置は、第１裏面と第２裏面とが対向して折り畳まれている扉（１）を扉収納スペース（２０）に当該艦船用格納庫の側壁に概ね平行になるように収納して出入り口を開放する。このような艦船用格納庫は、ＲＣＳが小さく、扉（１）がシャッターにより形成されているときより、出入り口の上端から当該艦船用格納庫の屋根までの長さが短い。
【０００９】
扉収納装置は、第２パネル（２−２）と折り畳み可能に連結されるガイドパネル（１３）と、ガイドパネル（１３）を扉（１）とともに扉収納スペース（２０）に水平方向に平行移動させるガイドレール（１１）とを備えていることが好ましい。
【００１０】
扉（１）は、出入り口の上端を閉鎖し、または、開放する天井小扉（３）を更に備えていることが好ましい。
【００１１】
扉収納装置は、第１パネル（２−１）と第２パネル（２−２）とを折り畳む第１トルクアクチュエータ（８）と、第１パネル（２−１）とガイドパネル（１３）とを折り畳む第２トルクアクチュエータ（９）とを更に備えている。このような艦船用格納庫は、扉（１）を開閉することを容易にする。
【００１２】
扉収納装置は、扉収納スペース（２０）を閉鎖する収納用小扉（１３）を更に備えていることが好ましい。
【００１３】
本発明による艦船は、本発明による艦船用格納庫を具備していることが好ましい。
【００１４】
【発明の実施の形態】
図面を参照して、本発明による艦船用格納庫の実施の形態は、扉が扉収納装置とともに設けられている。その扉１は、図１に示されているように、第１パネル２−１、第２パネル２−２および天井小扉３を備えている。扉１は、第１パネル２−１と第２パネル２−２とが同一の平面１０上に配置されて本発明による艦船用格納庫の出入り口を閉鎖している。このとき、平面１０は、鉛直方向に平行ではなく、少し上を向いている。すなわち、扉１は、上側が下側より内側に配置されている。このような扉１は、ＲＣＳが小さく好ましい。第１パネル２−１は、は、ヒンジ４を介して第２パネル２−２と折り畳み可能に連結されている。
【００１５】
その扉収納装置５は、ガイドパネル６、ガイドレール１１およびスクリュー軸駆動用モータ１２を備えている。艦船用格納庫には、出入り口の傍に第１パネル２−１と第２パネル２−２とを収納する扉収納スペース２０が設けられている。
ガイドレール１１とスクリュー軸駆動用モータ１２とは、その扉収納スペース２０よりさらに外側に配置されている。ガイドパネル６は、ヒンジ７を支持している。ヒンジ７は、第２パネル２−２をガイドパネル６に対して回転可能に支持している。ガイドレール１１は、ガイドパネル６を水平方向に平行移動可能に支持している。スクリュー軸駆動用モータ１２は、スクリュー軸を回転させ、ガイドパネル６は、スクリュー軸の回転運動を平行移動運動に変換してその水平方向にに移動する。
【００１６】
艦船用格納庫は、さらに、収納用小扉１３を備えている。収納用小扉１３は、扉収納スペース２０を外部と隔離し、または、開放する。艦船用格納庫は、さらに、トルクアクチュエータ８、９を備えている。トルクアクチュエータ８は、第１パネル２−１に対して第２パネル２−２を回転させて、第１パネル２−１と第２パネル２−２とを折り畳み、または、開く。トルクアクチュエータ９は、ガイドパネル６に対して第２パネル２−２を回転させて、第２パネル２−２を艦船用格納庫の外側に跳ね上げ、または、平面１１に重ねる。
【００１７】
図２は、第１パネル２−１と天井小扉３とを詳細に示している。天井小扉３は、下方にガイドレール２１を備えている。ガイドレール２１は、水平方向に延びている。第１パネル２−１は、第２パネル２−２に連結している側の反対側の上方に、ガイドローラ２２が設けられている。ガイドローラ２２は、ガイドレール２１に案内されて走行する。このため、第１パネル２−１の第２パネル２−２に連結している側は、ガイドレール２１に沿って平行移動する。
【００１８】
図３は、第１パネル２−１と第２パネル２−２との折り畳まれ方を示している。第１パネル２−１と第２パネル２−２とは、艦船用格納庫の出入り口が閉鎖されているときに、平面１０上に配置されている。第１パネル２−１と第２パネル２−２とがトルクアクチュエータ８、９により畳まれると、第１パネル２−１の第２パネル２−２に連結している側は、ガイドレール２１に沿って平行移動し、終には、第１パネル２−１と第２パネル２−２とのそれぞれの内側表面が対向する。
【００１９】
図４は、第１パネル２−１と第２パネル２−２とのそれぞれの内側表面が対向する状態を示している。このとき、ガイドローラ２２は、ガイドレール２１から外れ、天井小扉３は、ガイドレール２１その上端側に設けられたヒンジを用いて艦船用格納庫の内側に跳ね上げられることができる。天井小扉３は、跳ね上げられることにより出入り口を開放する。
【００２０】
第１パネル２−１と第２パネル２−２とは、出入り口を閉鎖しているときに上端が下端より内側に配置されていることにより、第１パネル２−１と第２パネル２−２とが連結している部分の上端は、連結していない側の上端より上に配置される。連結していない側の上端は、天井小扉３の分だけ低くなっており、連結している側の上端は、艦船用格納庫の天井より低い。逆に、天井小扉３の高さは、第１パネル２−１と第２パネル２−２とが畳まれたときに連結している側の上端が艦船用格納庫の天井より低いように、決定される。
【００２１】
さらに、第１パネル２−１と第２パネル２−２とは、ガイドレール１１が延びる方向と平行に配置される。この結果、第１パネル２−１と第２パネル２−２とは、ガイドパネル６とともに扉収納スペース２０に収納することができる。
【００２２】
図５は、第１パネル２−１と第２パネル２−２とが扉収納スペース２０に収納された状態を示している。このとき、収納用小扉１３は、閉じられて、扉収納スペース２０が外部と隔離される。このような艦船用格納庫は、天井と屋根との距離が扉としてシャッターを用いるときより小さく、高さが低くて好ましい。
【００２３】
本発明による艦船用格納庫の出入り口を開放するには、まず、収納用小扉１３が開放される。トルクアクチュエータ８、９は、第１パネル２−１と第２パネル２−２とを折り畳む。第１パネル２−１と第２パネル２−２とが折り畳まれた後に、天井小扉３は、艦船用格納庫の内側に跳ね上げられて出入り口を開放する。
次いで、スクリュー軸駆動用モータ１２は、ガイドパネル６を第１パネル２−１と第２パネル２−２とともに扉収納スペース２０に移動して収納する。第１パネル２−１と第２パネル２−２とが収納された後に、収納用小扉１３を閉鎖して、扉収納スペース２０を外部と隔離する。
【００２４】
本発明による艦船用格納庫の出入り口を閉鎖するには、まず、収納用小扉１３が開放される。次いで、スクリュー軸駆動用モータ１２は、ガイドパネル６を第１パネル２−１と第２パネル２−２とともに扉収納スペース２０から艦船用格納庫の外部に移動する。天井小扉３が降ろされて、出入り口を部分的に閉鎖する。降ろされた天井小扉３のガイドレール２１に第１パネル２−１のガイドローラ２２を走行可能に準備した後に、トルクアクチュエータ８、９は、第１パネル２−１と第２パネル２−２とを平面１０に広げる。第１パネル２−１と第２パネル２−２とにより出入り口が閉鎖された後に、収納用小扉１３を閉鎖して、扉収納スペース２０を外部と隔離する。
【００２５】
【発明の効果】
本発明による艦船用格納庫は、ＲＣＳがより小さい。
【図面の簡単な説明】
【図１】図１は、本発明による艦船用格納庫の扉の実施の形態を示す正面図である。
【図２】図２は、天井小扉とガイドレールとを示す断面図である。
【図３】図３は、第１パネルと第２パネルとの状態を示す平面図である。
【図４】図４は、第１パネルと第２パネルとの他の状態を示す平面図である。
【図５】図５は、第１パネルと第２パネルとのさらに他の状態を示す平面図である。
【図６】図６は、公知の艦船用格納庫の実施の形態を示す断面図である。
【図７】図７は、シャッターを示す断面図である。
【符号の説明】
１　：扉
２−１〜２−ｎ：パネル
３　：天井小扉
４　：ヒンジ
５　：扉収納装置
６　：ガイドパネル
７　：ヒンジ
８，９：トルクアクチュエータ
１０：平面
１１：ガイドレール
１２：スクリュー軸駆動用モータ
１３：収納用小扉
２０：扉収納スペース
【図１】
2004027681.tif 000003
【図２】
2004027681.tif 000004
【図３】
2004027681.tif 000005
【図４】
2004027681.tif 000006
【図５】
2004027681.tif 000007
【図６】
2004027681.tif 000008
【図７】
2004027681.tif 000009